(57)【要約】  タッチ基板及びその製造方法、表示パネルである。該タッチ基板は、タッチ領域（１１０）及びタッチ領域（１１０）の周囲に位置するリード領域（１２０）を備えるベース（１００）と、タッチ領域（１１０）のベース（１００）上に並列設置され、それぞれ間隔をおいて設置された複数の第１サブ電極（２１０）を備える複数の第１電極ストライプ（２００）と、タッチ領域（１１０）のベース（１００）上に設置された複数の導電性ブリッジ（５００）であって、各第１電極ストライプ（２００）のうちのいずれかの隣接する２つの第１サブ電極（２１０）が導電性ブリッジ（５００）の１つを介して電気的に接続される複数の導電性ブリッジ（５００）と、を備え、各導電性ブリッジ（５００）は、互いに直接接続された本体部（５１０）と分岐部（５２０）を備え、本体部（５１０）の少なくとも一端には少なくとも２つの分岐部（５２０）が設置される。
2020532776.tif 000002
【特許請求の範囲】
【請求項１】
タッチ基板であって、
タッチ領域及び前記タッチ領域の周囲に位置するリード領域を備えるベースと、
前記タッチ領域の前記ベース上に並列設置され、それぞれ間隔をおいて設置された複数の第１サブ電極を備える複数の第１電極ストライプと、
前記タッチ領域の前記ベース上に設置される複数の導電性ブリッジであって、各前記第１電極ストライプのうちのいずれかの隣接する２つの前記第１サブ電極が前記導電性ブリッジの１つを介して電気的に接続される複数の導電性ブリッジと、を備え、
各前記導電性ブリッジは、互いに直接接続された本体部と分岐部を備え、前記本体部の少なくとも一端には、少なくとも２つの前記分岐部が設置されるタッチ基板。
【請求項２】
前記タッチ領域の前記ベース上に並列設置された複数の第２電極ストライプであって、前記第２電極ストライプは、前記第１電極ストライプと同一層に設置され、且つ前記第１電極ストライプが位置する延長線と前記第２電極ストライプが位置する延長線とは、互いに交差し、各前記第２電極ストライプは、間隔をおいて設置された複数の第２サブ電極及び隣接する前記第２サブ電極を接続する接続部を備える複数の第２電極ストライプをさらに備え、
前記ベースが位置する面と垂直である方向に、前記接続部は、前記導電性ブリッジの前記本体部の少なくとも一部と重なる請求項１に記載のタッチ基板。
【請求項３】
各前記導電性ブリッジの前記本体部の少なくとも一部と前記分岐部とは、異なる層に設置され、ベースが位置する面と垂直である方向に、各前記分岐部は、それと部分的に重なる前記第１サブ電極に直接接触して電気的に接続される請求項２に記載のタッチ基板。
【請求項４】
各前記分岐部全体が対応する前記第１サブ電極に接触する請求項３に記載のタッチ基板。
【請求項５】
前記複数の第２電極ストライプの前記接続部と前記複数の導電性ブリッジとの間に設置される絶縁層をさらに備え、
前記絶縁層は、互いに間隔をおいた複数のサブ絶縁層を備え、前記サブ絶縁層は、前記導電性ブリッジに一対一に対応して設置され、
前記本体部の前記ベースでの正射影の少なくとも一部は、前記サブ絶縁層の前記ベースでの正射影内に位置し、前記分岐部の前記ベースでの正射影は、前記サブ絶縁層の前記ベースでの正射影外に位置する請求項２−４のいずれか１項に記載のタッチ基板。
【請求項６】
前記ベースが位置する面に平行であり且つ前記接続部を離れる前記サブ絶縁層の表面は、前記導電性ブリッジに接触するエッジが円弧状である請求項５に記載のタッチ基板。
【請求項７】
前記ベースが位置する面に平行な平面に、前記サブ絶縁層の平面形状は、円形又は楕円形である請求項６に記載のタッチ基板。
【請求項８】
各前記導電性ブリッジの前記本体部と前記分岐部とは、同一層に設置される請求項２に記載のタッチ基板。
【請求項９】
前記複数の第２電極ストライプの前記接続部と前記複数の導電性ブリッジとの間に設置され、ビアホールが設置された絶縁層をさらに備え、
前記第１サブ電極と前記導電性ブリッジとは、前記ビアホールを介して電気的に接続される請求項８に記載のタッチ基板。
【請求項１０】
前記ベースが位置する面に平行な平面に、各前記分岐部のエッジは、円弧状である請求項１〜９のいずれか１項に記載のタッチ基板。
【請求項１１】
前記本体部の同一端部に、隣接する２つの分岐部の夾角は、３０度〜６０度である請求項１〜１０のいずれか１項に記載のタッチ基板。
【請求項１２】
前記本体部の同一端部に、少なくとも２つの前記分岐部は、前記本体部の延長線に対して軸対称に設置される請求項１〜１１のいずれか１項に記載のタッチ基板。
【請求項１３】
前記本体部は、間隔をおいて並列設置された少なくとも２つの導電性ストリップを備え、各前記導電性ストリップの一端には、少なくとも１つの前記分岐部が設置される請求項１〜１２のいずれか１項に記載のタッチ基板。
【請求項１４】
前記導電性ブリッジは、前記第１電極ストライプの前記ベースに近い一側に設置され、又は
前記導電性ブリッジは、前記第１電極ストライプの前記ベースを離れる一側に設置される請求項１〜１３のいずれか１項に記載のタッチ基板。
【請求項１５】
請求項１〜１４のいずれか１項に記載のタッチ基板を備える表示パネル。
【請求項１６】
タッチ基板の製造方法であって、
タッチ領域及び前記タッチ領域の周囲に位置するリード領域を備えるベースを提供するステップと、
前記タッチ領域の前記ベース上に、並列配置された複数の第１電極ストライプを形成するステップと、
前記タッチ領域の前記ベース上に複数の導電性ブリッジを形成するステップと、を含み、
各前記第１電極ストライプは、間隔をおいて設置された複数の第１サブ電極を備え、各前記第１電極ストライプのうちのいずれかの隣接する２つの前記第１サブ電極が前記導電性ブリッジの１つを介して電気的に接続され、前記導電性ブリッジは、互いに直接接続された本体部と分岐部を備え、前記本体部の少なくとも一端には、少なくとも２つの前記分岐部が設置されるタッチ基板の製造方法。
【請求項１７】
前記タッチ領域の前記ベース上に、並列配置された複数の第２電極ストライプを形成するステップをさらに含み、
前記第２電極ストライプと前記第１電極ストライプとは、同一層に配置され且つ互いに交差して配置され、各前記第２電極ストライプは、間隔をおいて設置された複数の第２サブ電極及び隣接する前記第２サブ電極を接続する接続部を備え、前記ベースが位置する面と垂直である方向に、前記接続部は、前記本体部と部分的に重なる請求項１６に記載の製造方法。
【請求項１８】
各前記導電性ブリッジの本体部の少なくとも一部と前記分岐部とは、異なる層に設置され、前記タッチ領域の前記ベース上に複数の導電性ブリッジを形成するステップは、
前記ベース上に絶縁材料フィルムを堆積してパターニングプロセスを行って、複数のサブ絶縁層を備える絶縁層を形成することと、
前記絶縁層が形成された前記ベース上に導電性材料フィルムを堆積してパターニングプロセスを行って、前記サブ絶縁層と前記導電性ブリッジを一対一に対応して設置するように前記導電性ブリッジを形成することと、を含み、
前記導電性ブリッジの製造材料の耐食性は、前記第２電極ストライプ及び前記第１電極ストライプの製造材料の耐食性より小さく、前記ベースが位置する面と垂直である方向に、前記本体部の前記ベースでの正射影の少なくとも一部は、前記サブ絶縁層の前記ベースでの正射影内に位置し、前記分岐部の前記ベースでの正射影は、前記サブ絶縁層の前記ベースでの正射影外に位置する請求項１７に記載の製造方法。
【請求項１９】
各前記導電性ブリッジの本体部の少なくとも一部と前記分岐部とは、異なる層に設置され、前記タッチ領域の前記ベース上に複数の導電性ブリッジを形成するステップは、
前記ベース上に絶縁材料フィルムを堆積してパターニングプロセスを行って、複数のサブ絶縁層を備える絶縁層を形成することと、
第１マスクを提供し、前記サブ絶縁層と前記導電性ブリッジを一対一に対応して設置するように、前記第１マスクによって前記ベース上に導電性材料を堆積して複数の前記導電性ブリッジを形成することと、を含み、
前記ベースが位置する面と垂直である方向に、前記本体部の前記ベースでの正射影の少なくとも一部は、前記サブ絶縁層の前記ベースでの正射影内に位置し、前記分岐部の前記ベースでの正射影は、前記サブ絶縁層の前記ベースでの正射影外に位置する請求項１７に記載の製造方法。
【請求項２０】
各前記導電性ブリッジの本体部と分岐部とは、同一層に設置され、前記タッチ領域の前記ベース上に複数の導電性ブリッジを形成するステップは、
前記複数の第１電極ストライプが形成された前記ベース上に絶縁材料フィルムを堆積して絶縁層を形成することと、
前記絶縁層に対してパターニングプロセスを行って前記絶縁層に前記第１サブ電極の一部の領域を露出させるビアホールを形成することと、
前記絶縁層上に導電性材料フィルムを堆積してパターニングプロセスを行って前記導電性ブリッジを形成し、前記導電性ブリッジの前記分岐部を前記ビアホールを介して前記第１サブ電極に電気的に接続することと、を含む請求項１７に記載の製造方法。
【請求項２１】
各前記導電性ブリッジの本体部と分岐部とは、同一層に設置され、前記タッチ領域の前記ベース上に複数の導電性ブリッジを形成するステップは、
前記ベース上に導電性材料フィルムを堆積してパターニングプロセスを行って前記導電性ブリッジを形成することと、
前記導電性ブリッジが形成された前記ベース上に絶縁材料フィルムを堆積して絶縁層を形成することと、
前記絶縁層に対してパターニングプロセスを行って前記絶縁層に前記導電性ブリッジの一部の領域を露出させるビアホールを形成する、ことと、を含み、
前記タッチ領域の前記ベース上に、並列配置された複数の第１電極ストライプを形成するステップは、
前記絶縁層上に導電性材料フィルムを堆積してパターニングプロセスを行って前記複数の第１電極ストライプを形成し、いずれかの隣接する２つの前記第１サブ電極を前記ビアホールを介して前記導電性ブリッジに電気的に接続することを含む請求項１７に記載の製造方法。
【発明の詳細な説明】
【技術分野】
【０００１】
本願は、２０１７年９月５日に提出した中国特許出願第２０１７１０７９１４７５．０号の優先権を主張し、ここで、上記中国特許出願に開示されている全内容を本願の一部として援用する。
【０００２】
本開示の少なくとも１つの実施例は、タッチ基板及びその製造方法、表示パネルに関する。
【背景技術】
【０００３】
タッチ機能を有する電子表示製品は、ますます消費者に歓迎されており、現在、一般的な技術は、抵抗式、静電容量式及び光学式などを含み、そのうちの静電容量式タッチパッドは、高い正確率、マルチタッチ、高い耐久性及び高いタッチ解像度などの特徴を有するので、現在のハイエンドの消費性電子製品で使用される主なタッチ技術となっている。
【０００４】
フレキシブルディスプレイ分野では、複数回の曲げは、電子表示製品の素子を損傷し、電子表示製品の電気的機能に悪影響を与える。
【発明の概要】
【課題を解決するための手段】
【０００５】
本開示の少なくとも１つの実施例は、タッチ基板を提供し、前記タッチ基板は、タッチ領域及び前記タッチ領域の周囲に位置するリード領域を備えるベースと、前記タッチ領域の前記ベース上に並列設置され、それぞれ間隔をおいて設置された複数の第１サブ電極を備える複数の第１電極ストライプと、前記タッチ領域の前記ベース上に設置される複数の導電性ブリッジであって、各前記第１電極ストライプのうちのいずれかの隣接する２つの前記第１サブ電極が前記導電性ブリッジの１つを介して電気的に接続される複数の導電性ブリッジと、を備え、各前記導電性ブリッジは、互いに直接接続された本体部と分岐部を備え、前記本体部の少なくとも一端には、少なくとも２つの前記分岐部が設置される。
【０００６】
例えば、本開示の少なくとも１つの実施例に係るタッチ基板は、前記タッチ領域の前記ベース上に並列設置された複数の第２電極ストライプであって、各前記第２電極ストライプは、各前記第１電極ストライプと同一層に設置され、且つ前記第１電極ストライプが位置する延長線と前記第２電極ストライプが位置する延長線とは、互いに交差し、各前記第２電極ストライプは、間隔をおいて設置された複数の第２サブ電極及び隣接する前記第２サブ電極を接続する接続部を備える複数の第２電極ストライプをさらに備え、前記ベースが位置する面と垂直である方向に、前記接続部は、前記導電性ブリッジの前記本体部の少なくとも一部と重なる。
【０００７】
例えば、本開示の少なくとも１つの実施例に係るタッチ基板において、各前記導電性ブリッジの前記本体部の少なくとも一部と前記分岐部とは、異なる層に設置され、ベースが位置する面と垂直である方向に、各前記分岐部は、それと部分的に重なる前記第１サブ電極に直接接触して電気的に接続される。
【０００８】
例えば、本開示の少なくとも１つの実施例に係るタッチ基板において、各前記分岐部全体が対応する前記第１サブ電極に接触する。
【０００９】
例えば、本開示の少なくとも１つの実施例に係るタッチ基板は、前記複数の第２電極ストライプの前記接続部と前記複数の導電性ブリッジとの間に設置される絶縁層をさらに備え、前記絶縁層は、互いに間隔をおいた複数のサブ絶縁層を備え、前記サブ絶縁層は、前記導電性ブリッジに一対一に対応して設置され、前記本体部の前記ベースでの正射影の少なくとも一部は、前記サブ絶縁層の前記ベースでの正射影内に位置し、前記分岐部の前記ベースでの正射影は、前記サブ絶縁層の前記ベースでの正射影外に位置する。
【００１０】
例えば、本開示の少なくとも１つの実施例に係るタッチ基板において、前記ベースが位置する面に平行であり且つ前記接続部を離れる前記サブ絶縁層の表面は、前記導電性ブリッジに接触するエッジが円弧状である。
【００１１】
例えば、本開示の少なくとも１つの実施例に係るタッチ基板において、前記ベースが位置する面に平行な平面に、前記サブ絶縁層の平面形状は、円形又は楕円形である。
【００１２】
例えば、本開示の少なくとも１つの実施例に係るタッチ基板において、各前記導電性ブリッジの前記本体部と前記分岐部とは、同一層に設置される。
【００１３】
例えば、本開示の少なくとも１つの実施例に係るタッチ基板は、前記複数の第２電極ストライプの前記接続部と前記複数の導電性ブリッジとの間に設置され、ビアホールが設置された絶縁層をさらに備え、前記第１サブ電極と前記導電性ブリッジとは、前記ビアホールを介して電気的に接続される。
【００１４】
例えば、本開示の少なくとも１つの実施例に係るタッチ基板において、前記ベースが位置する面に平行な平面に、各前記分岐部のエッジは、円弧状である。
【００１５】
例えば、本開示の少なくとも１つの実施例に係るタッチ基板において、前記本体部の同一端部に、隣接する２つの前記分岐部の夾角は、３０度〜６０度である。
【００１６】
例えば、本開示の少なくとも１つの実施例に係るタッチ基板において、前記本体部の同一端部に、少なくとも２つの前記分岐部は、前記本体部の延長線に対して軸対称に設置される。
【００１７】
例えば、本開示の少なくとも１つの実施例に係るタッチ基板において、前記本体部は、間隔をおいて並列設置された少なくとも２つの導電性ストリップを備え、各前記導電性ストリップの一端には、少なくとも１つの前記分岐部が設置される。
【００１８】
例えば、本開示の少なくとも１つの実施例に係るタッチ基板において、前記導電性ブリッジは、前記第１電極ストライプの前記ベースに近い一側に設置され、又は前記導電性ブリッジは、前記第１電極ストライプの前記ベースを離れる一側に設置される。
【００１９】
本開示の少なくとも１つの実施例は、上記いずれかの実施例のタッチ基板を備える表示パネルを提供する。
【００２０】
本開示の少なくとも１つの実施例は、タッチ基板の製造方法を提供し、前記タッチ基板の製造方法は、タッチ領域及び前記タッチ領域の周囲に位置するリード領域を備えるベースを提供するステップと、前記タッチ領域の前記ベース上に、並列配置された複数の第１電極ストライプを形成するステップと、前記タッチ領域の前記ベース上に複数の導電性ブリッジを形成するステップと、を含み、各前記第１電極ストライプは、間隔をおいて設置された複数の第１サブ電極を備え、各前記第１電極ストライプのうちのいずれかの隣接する２つの前記第１サブ電極が前記導電性ブリッジの１つを介して電気的に接続され、前記導電性ブリッジは、互いに直接接続された本体部と分岐部を備え、前記本体部の少なくとも一端には、少なくとも２つの前記分岐部が設置される。
【００２１】
例えば、本開示の少なくとも１つの実施例に係る製造方法は、前記タッチ領域の前記ベース上に、並列配置された複数の第２電極ストライプを形成するステップをさらに含み、前記第２電極ストライプと前記第１電極ストライプとは、同一層に配置され且つ互いに交差して配置され、各前記第２電極ストライプは、間隔をおいて設置された複数の第２サブ電極及び隣接する前記第２サブ電極を接続する接続部を備え、前記ベースが位置する面と垂直である方向に、前記接続部は、前記本体部と少なくとも部分的に重なる。
【００２２】
例えば、本開示の少なくとも１つの実施例に係る製造方法において、各前記導電性ブリッジの本体部の少なくとも一部と前記分岐部とは、異なる層に設置され、前記タッチ領域の前記ベース上に複数の導電性ブリッジを形成するステップは、前記第１電極ストライプ及び前記第２電極ストライプが形成された前記ベース上に絶縁材料フィルムを堆積してパターニングプロセスを行って、複数のサブ絶縁層を備える絶縁層を形成することと、前記絶縁層が形成された前記ベース上に導電性材料フィルムを堆積してパターニングプロセスを行って、前記サブ絶縁層と前記導電性ブリッジを一対一に対応して設置するように前記導電性ブリッジを形成することと、を含み、前記導電性ブリッジの製造材料の耐食性は、前記第２電極ストライプ及び前記第１電極ストライプの製造材料の耐食性より小さく、前記ベースが位置する面と垂直である方向に、前記本体部の前記ベースでの正射影の少なくとも一部は、前記サブ絶縁層の前記ベースでの正射影内に位置し、前記分岐部の前記ベースでの正射影は、前記サブ絶縁層の前記ベースでの正射影外に位置する。
【００２３】
例えば、本開示の少なくとも１つの実施例に係る製造方法において、各前記導電性ブリッジの本体部の少なくとも一部と前記分岐部とは、異なる層に設置され、前記タッチ領域の前記ベース上に複数の導電性ブリッジを形成するステップは、前記第１電極ストライプ及び前記第２電極ストライプが形成された前記ベース上に絶縁材料フィルムを堆積してパターニングプロセスを行って、複数のサブ絶縁層を備える絶縁層を形成することと、第１マスクを提供し、前記サブ絶縁層と前記導電性ブリッジを一対一に対応して設置するように前記第１マスクによって前記ベース上に導電性材料を堆積して複数の前記導電性ブリッジを形成することと、を含み、前記ベースが位置する面と垂直である方向に、前記本体部の前記ベースでの正射影の少なくとも一部は、前記サブ絶縁層の前記ベースでの正射影内に位置し、前記分岐部の前記ベースでの正射影は、前記サブ絶縁層の前記ベースでの正射影外に位置する。
【００２４】
例えば、本開示の少なくとも１つの実施例に係る製造方法において、各前記導電性ブリッジの本体部と分岐部とは、同一層に設置され、前記タッチ領域の前記ベース上に複数の導電性ブリッジを形成するステップは、前記第１電極ストライプが形成された前記ベース上に絶縁材料フィルムを堆積して前記絶縁層を形成することと、前記絶縁層に対してパターニングプロセスを行って前記絶縁層に前記第１サブ電極の一部の領域を露出させるビアホールを形成することと、前記絶縁層上に導電性材料フィルムを堆積してパターニングプロセスを行って前記導電性ブリッジを形成し、前記導電性ブリッジの前記分岐部を前記ビアホールを介して前記第１サブ電極に電気的に接続することと、を含む。
【００２５】
例えば、本開示の少なくとも１つの実施例に係る製造方法において、各前記導電性ブリッジの本体部と分岐部とは、同一層に設置され、前記タッチ領域の前記ベース上に複数の導電性ブリッジを形成するステップは、前記ベース上に導電性材料フィルムを堆積してパターニングプロセスを行って前記導電性ブリッジを形成することと、前記導電性ブリッジが形成された前記ベース上に絶縁材料フィルムを堆積して絶縁層を形成することと、前記絶縁層に対してパターニングプロセスを行って前記絶縁層に前記導電性ブリッジの一部の領域を露出させるビアホールを形成することと、を含み、前記タッチ領域の前記ベース上に、並列配置された複数の第１電極ストライプを形成するステップは、前記絶縁層上に導電性材料フィルムを堆積してパターニングプロセスを行って前記複数の第１電極ストライプを形成し、いずれかの隣接する２つの前記第１サブ電極を前記ビアホールを介して前記導電性ブリッジに電気的に接続することを含む。
【００２６】
本発明の実施例の技術案を明確に説明するために、以下、実施例の図面を簡単に説明し、明らかに、以下に説明される図面は本発明の一部の実施例のみに関し、本発明を制限するためのものではない。
【図面の簡単な説明】
【００２７】
【図１Ａ】図１Ａは、本開示の一実施例に係るタッチ基板の平面図である。
【図１Ｂ】図１Ｂは、図１Ａに示されるタッチ基板の領域Ａの部分構造模式図である。
【図１Ｃ】図１Ｃは、図１Ｂに示されるタッチ基板のＭ−Ｎに沿う断面図である。
【図１Ｄ】図１Ｄは、図１Ｂに示される導電性ブリッジの構造模式図である。
【図２Ａ】図２Ａは、本開示の一実施例に係るタッチ基板の導電性ブリッジの別の構造模式図である。
【図２Ｂ】図２Ｂは、本開示の一実施例に係るタッチ基板の導電性ブリッジの別の構造模式図である。
【図３Ａ】図３Ａは、本開示の一実施例に係る別のタッチ基板の部分断面図である。
【図３Ｂ】図３Ｂは、本開示の一実施例に係る別のタッチ基板の部分断面図である。
【図４】図４は、本開示の一実施例に係る別のタッチ基板の部分構造模式図である。
【図５】図５は、本開示の一実施例に係る別のタッチ基板の部分構造模式図である。
【図６Ａ】図６Ａは本開示の一実施例に係るタッチ基板の製造方法のプロセス図である。
【図６Ｂ】図６Ｂは本開示の一実施例に係るタッチ基板の製造方法のプロセス図である。
【図７】図７は、本開示の一実施例に係るタッチ基板の製造方法の別のプロセス図である。
【図８Ａ】図８Ａは、本開示の一実施例に係るタッチ基板の製造方法のまた別のプロセス図である。
【図８Ｂ】図８Ｂは、本開示の一実施例に係るタッチ基板の製造方法のまた別のプロセス図である。
【図９Ａ】図９Ａは、本開示の一実施例に係るタッチ基板の製造方法のさらに別のプロセス図である。
【図９Ｂ】図９Ｂは、本開示の一実施例に係るタッチ基板の製造方法のさらに別のプロセス図である。
【発明を実施するための形態】
【００２８】
本発明の実施例の目的、技術案及び利点をより明確にするために、以下、本発明の実施例の図面を参照しながら、本発明の実施例の技術案を明確かつ完全に説明する。勿論、説明される実施例は、本発明の一部の実施例に過ぎず、すべての実施例ではない。説明される本発明の実施例に基づいて、当業者が進歩性に値する労働を必要とせずに取得するすべての他の実施例は、いずれも本発明の保護範囲に属する。
【００２９】
特に定義しない限り、本開示に使用されている技術用語又は科学用語は当業者が理解できる通常の意味を有する。本開示に使用されている「第１」、「第２」及び類似する用語は、順序、数量又は重要性を示すものではなく、異なる構成要素を区別するためのものにすぎない。「含む」又は「備える」等の類似する用語は、「含む」又は「備える」の前に記載された素子又は部材が、「含む」又は「備える」の後に挙げられる素子又は部材及びその同等物を含むが、ほかの素子又は部材を排除しないことを意味する。「接続」又は「連結」等の類似する用語は、物理的又は機械的接続に限定されず、直接接続されるか間接的に接続されるかに関わらず、電気的接続を含んでもよい。「上」、「下」、「左」、「右」等は、相対位置関係を示すだけであり、説明対象の絶対位置が変わると、該相対位置関係も対応して変化する可能性がある。
【００３０】
本開示の少なくとも１つの実施例は、タッチ基板を提供し、該タッチ基板は、タッチ領域及びタッチ領域の周囲に位置するリード領域を備えるベースと、タッチ領域のベース上に並列設置され、それぞれ間隔をおいて設置された複数の第１サブ電極を備える複数の第１電極ストライプと、タッチ領域のベース上に設置される複数の導電性ブリッジであって、各第１電極ストライプのうちの隣接する２つの第１サブ電極が導電性ブリッジを介して電気的に接続される複数の導電性ブリッジと、を備え、導電性ブリッジは、本体部と分岐部を備え、本体部の少なくとも一端には、少なくとも２つの分岐部が設置される。導電性ブリッジの両端は、少なくとも２つの分岐部を備える構造として設計され、タッチ基板が曲がり状態にある場合、分岐部は、導電性ブリッジに生じた応力を分散して、応力集中による導電性ブリッジの局所領域への過大な応力を低減させることができ、それにより、導電性ブリッジの破断リスクを低減させ、タッチ基板の収率を向上させることができる。
【００３１】
以下、図面を参照しながら、本開示の少なくとも１つの実施例に係るタッチ基板及びその製造方法、表示パネルを説明する。
【００３２】
本開示の少なくとも１つの実施例は、タッチ基板を提供し、タッチ基板は、フレキシブルタッチ基板であってもよく、図１Ａは、本開示の一実施例に係るタッチ基板の平面図であり、図１Ｂは、図１Ａに示されるタッチ基板の領域Ａの部分構造模式図であり、図１Ｃは、図１Ｂに示されるタッチ基板のＭ−Ｎに沿う断面図であり、図１Ｄは、図１Ｂに示される導電性ブリッジの構造模式図である。例えば、図１Ａ、図１Ｂ、図１Ｃ及び図１Ｄに示すように、タッチ基板は、タッチ領域１１０及びタッチ領域１１０の周囲に位置するリード領域１２０を備えるベース１００と、タッチ領域１１０のベース１００上に並列設置され、それぞれ間隔をおいて設置された複数の第１サブ電極２１０を備える複数の第１電極ストライプ２００と、タッチ領域１１０のベース１００上に設置される複数の導電性ブリッジ５００であって、各第１電極ストライプ２００のうちのいずれかの隣接する２つの第１サブ電極２１０が導電性ブリッジ５００の１つを介して電気的に接続される複数の導電性ブリッジ５００と、を備え、各導電性ブリッジ５００は、本体部５１０と分岐部５２０を備え、本体部５１０の少なくとも一端には、少なくとも２つの分岐部５２０が設置される。例えば、導電性ブリッジ５００の分岐部５２０は、第１サブ電極２１０に電気的に接続される。導電性ブリッジ５００が曲がり状態にある場合、分岐部５２０は、導電性ブリッジ５００に生じた応力を分散して、導電性ブリッジ５００の破断リスクを低減させることができる。
【００３３】
例えば、本開示の少なくとも１つの実施例では、図１Ａ、図１Ｂ、図１Ｃ及び図１Ｄに示すように、導電性ブリッジ５００の本体部５１０の両端には、それぞれ分岐部５２０が設置されてもよい。分岐部５２０は、第１サブ電極２１０に接触され、タッチ基板が曲がる場合、導電性ブリッジ５００に生じた曲げ応力が分岐部５２０に伝達して、導電性ブリッジ５００に生じた応力を分散することができ、応力集中による導電性ブリッジ５００の破断を回避する。
【００３４】
例えば、本開示の少なくとも１つの実施例では、図１Ａ、図１Ｂ、図１Ｃ及び図１Ｄに示すように、タッチ基板は、タッチ領域１１０のベース１００上に並列設置された複数の第２電極ストライプ３００をさらに備え、第２電極ストライプ３００が位置する延長線と第１電極ストライプ２００が位置する延長線とは互いに交差して設置され、各第２電極ストライプ３００は、間隔をおいて設置された複数の第２サブ電極３１０及び隣接する第２サブ電極３００を接続する接続部３２０を備え、ベース１００が位置する面と垂直である方向に、接続部３２０は、導電性ブリッジ５００の本体部５１０の少なくとも一部と重なる。
【００３５】
本開示の少なくとも１つの実施例では、第１電極ストライプ及び第２電極ストライプのタイプを制限しない。例えば、第１電極ストライプ及び第２電極ストライプ３００のうち、一方は、駆動電極であり、他方は、誘導電極である。第１電極ストライプの第１サブ電極とそれに隣接する第２電極ストライプの第２サブ電極との間に静電容量が形成され、外物が例えばタッチポイントの位置に接近する場合、対応する領域の第１サブ電極と第２サブ電極との間の電気容量を変え、電気容量が変化した対応する静電容量の位置を検出することによって、タッチポイントを位置決めすることができる。
【００３６】
本開示の少なくとも１つの実施例では、ベースが位置する面と垂直である方向における第１電極ストライプ及び第２電極ストライプの配置順序を制限せず、隣接する第１サブ電極と第２サブ電極との間に静電容量を形成できればよい。例えば、本開示の少なくとも１つの実施例では、図１Ｃに示すように、第１電極ストライプ２００と第２電極ストライプ３００は、同一層に設置されてもよい。例えば、第１電極ストライプ２００と第２電極ストライプ３００の製造材料は、同じであり、それにより、ベース１００上に第１電極ストライプ２００と第２電極ストライプ３００を同期に製造することができ、タッチ基板の製造プロセスを簡略化させ、コストを低減させる。
【００３７】
本開示の少なくとも１つの実施例では、各第１電極ストライプ２００の配置及び各第２電極ストライプ３００の配置を制限せず、実際の需要、例えばタッチ基板の平面形状に応じて、第１電極ストライプ２００及び第２電極ストライプ３００の配置を行うことができ、各第１電極ストライプ２００が位置する延長線と各第２電極ストライプ３００が位置する延長線とは互いに交差できればよい。例えば、本開示の少なくとも１つの実施例では、各第１電極ストライプ２００は、ベース１００に平行な第１方向に互いに平行であり且つ間隔をおいて配列され、各第２電極ストライプ３００は、ベース１００に平行な第２方向に互いに平行であり且つ間隔をおいて配列され、第１方向と第２方向は、交差し、第１電極ストライプ２００は、第２電極ストライプ３００と交差する箇所で破断し、即ち、複数の第２電極ストライプ３００は、各第１電極ストライプ２００を複数の第１サブ電極２１０に離間する。例えば、第１方向と第２方向は、互いに垂直である。
【００３８】
以下、第１方向と第２方向が互いに垂直であり、第１電極ストライプが第１方向に間隔をおいて設置され且つ第２電極ストライプが第２方向に間隔をおいて設置されたことを例として、本開示の下記少なくとも１つの実施例の技術案を説明する。
【００３９】
例えば、図１Ａ、図１Ｂ、図１Ｃ及び図１Ｄに示すように、タッチ基板のベース１００を参照して３次元座標系を作成して、タッチ基板の各部材に対して方向性の指定を行う。上記３次元座標系において、Ｘ軸及びＹ軸の方向は、ベース１００が位置する面に平行な方向であり、且つＸ軸の方向は、第２方向と同じで、Ｙ軸の方向は、第１方向と同じであり、即ち、第１電極ストライプ２００は、Ｙ軸の方向に並列設置され、第２電極ストライプ３００は、Ｘ軸の方向に並列設置され、Ｚ軸は、ベース１００が位置する面と垂直である方向である。
【００４０】
本開示の少なくとも１つの実施例では、導電性ブリッジの構造を制限せず、導電性ブリッジの本体部の少なくとも一端に、少なくとも２つの分岐部が設置されればよい。
【００４１】
例えば、本開示の少なくとも１つの実施例では、図１Ａ、図１Ｂ、図１Ｃ及び図１Ｄに示すように、導電性ブリッジ５００の本体部５１０の両端には、それぞれ少なくとも２つの分岐部５２０が設置される。
【００４２】
例えば、本開示の少なくとも１つの実施例では、図１Ｄに示すように、本体部５１０の同一端部に、少なくとも２つの分岐部５２０は、本体部５１０の延長線Ｌ（例えば、Ｙ軸の方向に平行である）に対して軸対称に設置される。それにより、タッチ基板は曲がる状態にある場合、本体部５１０の同一端部に位置する各分岐部５２０間の応力差を低減させ、導電性ブリッジ５００の局所応力が過大になることを回避することができる。
【００４３】
例えば、本開示の少なくとも１つの実施例では、図１Ｄに示すように、本体部５１０の同一端部に、隣接する２つの分岐部５２０の夾角は、約３０度〜６０度であり、例えば、さらに３５度、４５度、５０度などである。隣接する分岐部５２０の夾角は、上記範囲に限定されず、実際の需要に応じて設定することができ、本開示の実施例は、制限せず、分岐部５２０が第１サブ電極２１０に接続できればよい。
【００４４】
例えば、本開示の少なくとも１つの実施例では、導電性ブリッジ５００の本体部５１０の同一端部に設置された分岐部５２０の数を制限せず、本体部５１０の同一端部の分岐部５２０は、図１Ｄに示される２つに限定されない。図２Ａは、本開示の一実施例に係るタッチ基板の導電性ブリッジの別の構造模式図である。例えば、図２Ａに示すように、導電性ブリッジ５００の本体部５１０の同一端部には、少なくとも３つの分岐部５２０が設置されてもよい。複数の分岐部５２０は、互いに間隔をおいてそれぞれ第１電極ストライプ２００の第１サブ電極２１０に接続でき、それにより、導電性ブリッジ５００と第１サブ電極２１０とのマルチ接続を実現でき、導電性ブリッジ５００と第１サブ電極２１０との接続の強度を向上させ、また、導電性ブリッジ５００に生じた一部の応力をより多くの分岐部５２０によって分散することができ、さらに応力集中の問題を緩和させ、且つ、そのうちの１つの分岐部５２０が破断しても、他の分岐部５２０が導電性ブリッジ５００と第１サブ電極２１０を接続することができ、タッチ基板の回路の損傷リスクを低減させる。
【００４５】
例えば、本開示の少なくとも１つの実施例では、図２Ａに示すように、導電性ブリッジ５００の本体部５１０の同一端部に、複数の分岐部５２０は、扇形に分布することで分岐部５２０の分布面積を増加させることができ、分岐部５２０と第１サブ電極２１０との接触面積を増加させ、分岐部５２０と第１サブ電極２１０との接続の強度を向上させる。例えば、複数の分岐部５２０を幅が本体部５１０の幅より大きくなるように設置することができ、それにより、導電性ブリッジ５００の分岐部５１０が設置された領域の電流転送チャンネルの断面積を増加させ、導電性ブリッジ５００の総抵抗を低減させることができる。
【００４６】
例えば、ベース１００に平行な断面に、分岐部５２０のエッジは、丸められた輪郭を有してもよく、例えば、円弧状又は円形などであり、それにより、さらにエッジの応力を改善し、耐屈曲性を向上させることができる。
【００４７】
例えば、本開示の少なくとも１つの実施例では、図２Ｂは、本開示の一実施例に係るタッチ基板の導電性ブリッジの別の構造模式図である。例えば、図２Ｂに示すように、導電性ブリッジ５００の本体部５１０は、並列設置された少なくとも２つの導電性ストリップ５１１を備え、各導電性ストリップ５１１の少なくとも一端には、少なくとも１つの分岐部５２０が設置され、即ち、導電性ブリッジ５００の本体部５１０は、柵構造として設置することができる。タッチ基板は曲がる状態にある場合、各導電性ストリップ５１１が互いに間隔をおいて、各導電性ストリップ５１１に生じた応力が互いに伝達できず、本体部５１０に生じた応力が各導電性ストリップ５１１に分散でき、それにより、本体部５１０の局所応力が過大になることを回避することができ、さらに導電性ブリッジ５００、ひいてはタッチ基板の耐屈曲能力を向上させる。また、上記柵構造を有する本体部５１０は、光の透過率を向上させ、電子表示製品（例えば、下記実施例の表示パネル）の画像を表示する表示効果を向上させることができる。
【００４８】
例えば、本開示の少なくとも１つの実施例では、図１Ａに示すように、タッチ基板は、リード領域１２０のベース１００上に設置された複数本の第１信号線６２０及び複数本の第２信号線６１０をさらに備えてもよく、第１信号線６１０は、第１電極ストライプ２００に一対一に対応して接続され、第２信号線６２０は、第２電極ストライプ３００に一対一に対応して接続される。本開示の少なくとも１つの実施例では、ベース１００上の第１信号線６１０及び第２信号線６２０の分布を制限せず、実際のプロセス条件に応じて設計することができる。例えば、図１Ａに示すように、第１信号線６１０及び第２信号線６２０は、ポート領域Ｂに集合して、外部の制御ユニット、例えば駆動チップなどに電気的に接続される。
【００４９】
例えば、本開示の少なくとも１つの実施例では、図１Ａ〜図１Ｄに示すように、タッチ基板は、導電性ブリッジ５００と第２電極ストライプ３００の接続部３２０との間に設置された絶縁層４００をさらに備えてもよい。絶縁層４００は、導電性ブリッジ５００と第２電極ストライプ３００との間に充填されて導電性ブリッジ５００と第２電極ストライプ３００との電気的接続を防止する。絶縁層４００の設置は、導電性ブリッジ５００と第１電極ストライプ２００との電気的接続を確保し且つ導電性ブリッジ５００と第２電極ストライプ３００との電気的接続を遮断する必要があるため、第１電極ストライプ２００、第２電極ストライプ３００及び導電性ブリッジ５００のベース１００での設置位置によって、絶縁層４００の設置形態は、複数ある。
【００５０】
本開示のいくつかの実施例では、導電性ブリッジの本体部と分岐部とは、同一層に設置されてもよく、本開示の別の実施例では、導電性ブリッジの本体部の少なくとも一部と分岐部とは、異なる層に位置する。絶縁層は、導電性ブリッジと接続部を離間し、従って、導電性ブリッジの本体部及び分岐部の位置は、絶縁層の形状及び設置位置の影響を受け、以下、上記本体部及び分岐部の異なる設置形態をそれぞれ説明する。
【００５１】
本開示の少なくとも１つの実施例では、図１Ｃに示すように、Ｚ軸の方向に、各導電性ブリッジ５００の本体部５１０の少なくとも一部と分岐部５２０とは、異なる層に設置され、ベース１００が位置する面と垂直である方向に、各分岐部５２０はそれと部分的に重なる第１サブ電極２１０に直接接触して電気的に接続される。Ｚ軸の方向に、分岐部５２０の本体部５１０と同一層に位置していない部分は、第１サブ電極２１０の全部又は一部に接触でき、且つ絶縁層４００と重ならず、従って、導電性ブリッジ５００が上記の構造要求を満たすように絶縁層４００をパターン化する必要がある。
【００５２】
例えば、本開示の少なくとも１つの実施例では、図１Ａ〜図１Ｄに示すように、絶縁層４００は、互いに間隔をおいた複数のサブ絶縁層４１０を備え、サブ絶縁層４１０は、導電性ブリッジ５００に一対一に対応して設置され、且つベース１００が位置する面と垂直である方向（例えば、Ｚ軸に平行な方向）に、導電性ブリッジ５００の本体部５１０のベース１００での正射影の少なくとも一部は、サブ絶縁層のベース１００での正射影内に位置し、分岐部５２０のベース１００での正射影の少なくとも一部は、サブ絶縁層４１０のベース１００での正射影外に位置する。上記構造のタッチ基板では、導電性ブリッジ５００の分岐部５２０のサブ絶縁層４１０と重なっていない部分は、第１電極ストライプ２００の第１サブ電極２１０に接触でき、それにより、導電性ブリッジ５００と第１サブ電極２１０との接触面積を向上させ、導電性ブリッジ５００と第１サブ電極２１０との接続を強化することができる。
【００５３】
本開示の少なくとも１つの実施例では、導電性ブリッジの分岐部の分布領域を限定しない。分岐部は、図１Ｃに示される部分的に第１サブ電極に接触することに限定されず、例えば、本開示の少なくとも１つの実施例では、分岐部全体は、第１サブ電極に接触してもよく、それにより、分岐部と第１サブ電極との接続の強度を向上させることができる。
【００５４】
例えば、本開示の少なくとも１つの実施例では、図１Ａ〜図１Ｄに示すように、ベース１００が位置する面に平行であり且つ接続部３２０を離れるサブ絶縁層４１０の表面は、導電性ブリッジ５００に接触するエッジが円弧状である。例えば、絶縁層４００のベース１００に平行な断面に、絶縁層４００のエッジは、すべて円弧状である。例えば、ベース１００に平行な断面に、導電性ブリッジ５００に接触する部分の断面形状は、円弧状又は円形である。タッチ基板は、曲がる状態にある場合、サブ絶縁層４１０の円弧状エッジに、サブ絶縁層４１０と分岐部５２０が互いに応力を印加する断面が円弧状であり、応力が該円弧状エッジに均一に分布でき、それにより、応力集中による導電性ブリッジ５００の破断リスクを低減させる。
【００５５】
例えば、本開示の少なくとも１つの実施例では、絶縁層４００の断面形状（例えば、ベース１００が位置する面に平行な断面形状）は、円弧状又は円形であり、さらにエッジの応力を改善し、タッチ基板の耐屈曲性能を向上させることができる。
【００５６】
本開示の少なくとも１つの実施例では、サブ絶縁層の平面形状を制限せず、サブ絶縁層の分岐部に接触するエッジは、円弧状であればよい。例えば、本開示の少なくとも１つの実施例では、図１Ａ〜図１Ｄに示すように、ベース１００が位置する面に平行な平面に、サブ絶縁層４１０の平面形状は、円形又は楕円形などの形状である。
【００５７】
なお、本開示の少なくとも１つの実施例では、各導電性ブリッジの本体部の少なくとも一部と分岐部とが異なる層に設置されることは、導電性ブリッジの本体部と分岐部とが全て同一層にあることではない状況を示し、導電性ブリッジの本体部及び分岐部のベース上での分布も図１Ｃに示されることに限定されない。例えば、導電性ブリッジの本体部は、全て同一層に位置し、即ち、本体部のベースでの正射影は、全てサブ絶縁層のベースでの正射影内に位置するようにしてもよく、且つ分岐部は、異なる層に分布でき、例えば、分岐部は、一部がサブ絶縁層のベースを離れる表面に設置され、一部がサブ絶縁層のベースが位置する面と垂直である側表面に設置され、且つ一部が第１サブ電極に設置される。
【００５８】
本開示の少なくとも１つの実施例では、図３Ａは、本開示の一実施例に係る別のタッチ基板の部分断面図である。図３Ａに示すように、各導電性ブリッジ５００の本体部５１０と分岐部５２０とは、同一層に設置されてもよい。本体部５１０と分岐部５２０との同一層構造の設置形態によって、導電性ブリッジ５００自体構造の安定性を高めることができ、曲げ過程に導電性ブリッジ５００の破断リスクを低減させることができる。
【００５９】
例えば、本開示の少なくとも１つの実施例では、図３Ａ及び図３Ｂに示すように、ベース１００が位置する面と垂直である方向（例えば、Ｚ軸に平行な方向）に、絶縁層４００は、ベース１００の表面全体を被覆するように配置され、且つ絶縁層４００にはビアホール４２０が設置され、第１電極ストライプ２００の第１サブ電極２１０と導電性ブリッジ５００の分岐部５２０又は本体部５１０とは、ビアホール４２０を介して電気的に接続される。例えば、ビアホール４２０には、導電体が設置されてもよく、分岐部５２０と第１サブ電極２１０とは、該導電体を介して電気的に接続される。例えば、該導電体は、単独で設置されてもよく、第１サブ電極２１０又は導電性ブリッジ５００と同じ材料で形成されてもよく、又は第１サブ電極２１０又は導電性ブリッジ５００と一体に形成されてもよい。
【００６０】
本開示の少なくとも１つの実施例では、絶縁層の製造材料を制限せず、例えば、絶縁層の製造材料は、絶縁材料であり、さらに例えば、弾性が良好な絶縁材料である。例えば、絶縁層の製造材料は、シリコンの酸化物（ＳｉＯｘ）、シリコンの窒素化物（ＳｉＮｘ）、酸窒化シリコン、樹脂類などの絶縁材料を含む。
【００６１】
本開示の少なくとも１つの実施例に係るタッチ基板において、第１電極ストライプ、第２電極ストライプ及び導電性ブリッジのＹ軸方向における配置関係を制限せず、実際の需要に応じて設置することができる。
【００６２】
例えば、本開示の少なくとも１つの実施例では、図３Ａに示すように、導電性ブリッジ５００は、第２電極ストライプ３００の接続部３２０（第２電極ストライプ３００は、例えば、第１電極ストライプ２００と同一層に設置される）のベース１００を離れる一側に設置される。
【００６３】
例えば、本開示の少なくとも１つの実施例では、図３Ｂは本開示の一実施例に係る別のタッチ基板の部分断面図である。例えば、図３Ｂに示すように、導電性ブリッジ５００は、ベース１００と第２電極ストライプ３００の接続部３２０（第２電極ストライプ３００は、例えば、第１電極ストライプ２００と同一層に設置される）との間に設置される。
【００６４】
本開示の少なくとも１つの実施例では、第１電極ストライプ、第２電極ストライプ及び導電性ブリッジの製造材料を制限しない。例えば、第１電極ストライプ、第２電極ストライプ及び導電性ブリッジの製造材料は、半透明又は透明な導電性材料、例えば、酸化インジウムスズ（ＩＴＯ）、酸化インジウム亜鉛（ＩＺＯ）、酸化インジウムガリウム（ＩＧＯ）、酸化ガリウム亜鉛（ＧＺＯ）、酸化亜鉛（ＺｎＯ）、酸化インジウム（Ｉｎ２Ｏ３）、酸化アルミニウム亜鉛（ＡＺＯ）及びカーボンナノチューブなどである。例えば、導電性ブリッジ５００は、延性が良好な導電性材料、例えば、金（Ａｕ）、銀（Ａｇ）、銅（Ｃｕ）、アルミニウム（Ａｌ）などの金属及びその合金を用いてもよい。
【００６５】
同じ材料は、結晶時に接続しやすい（両者間の接続の強度が強い）。例えば、本開示の少なくとも１つの実施例では、例えば、第１電極ストライプ、第２電極ストライプ３００及び導電性ブリッジを同じ材料で製造でき、且つ形成過程の結晶条件（例えば、温度、圧力などのパラメータ）は近く、それにより、第１電極ストライプ、第２電極ストライプ及び導電性ブリッジ間の接続の強度を向上させる。例示的に、第１電極ストライプ、第２電極ストライプ及び導電性ブリッジの製造材料は、いずれも酸化インジウムスズ（ＩＴＯ）などであってもよい。
【００６６】
本開示の少なくとも１つの実施例では、第１電極ストライプ及び第２電極ストライプなどの平面形状を制限せず、実際の需要に応じて設置することができる。
【００６７】
例えば、本開示の少なくとも１つの実施例では、図１Ａ及び図１Ｂに示すように、ベース１００が位置する面と垂直である方向（例えば、Ｚ軸に平行な方向）から見て、第２サブ電極３１０及び第１サブ電極２１０の平面形状は、菱形である（図１Ｂに菱形の一部分のみが示される）。上記構造を有する第１サブ電極２１０及び第２サブ電極３１０は、タッチ基板の誘導領域を増加させ、タッチ基板の感度を向上させることができる。
【００６８】
例えば、本開示の少なくとも１つの実施例では、図４は本開示の一実施例に係る別のタッチ基板の部分構造模式図である。例えば図４に示すように、Ｚ軸に平行な方向から見て、第１サブ電極２１０及び第２サブ電極３１０の外周エッジの少なくとも一部は、鋸歯形に設置される。上記構造を有するタッチ基板は、良好なインデックスマッチング効果を有し、電子表示製品（本開示の実施例のタッチ基板を含む）の画像を表示する表示効果を向上させることができる。
【００６９】
例えば、本開示の少なくとも１つの実施例では、図５は、本開示の一実施例に係る別のタッチ基板の部分構造模式図である。例えば、図５に示すように、隣接する第１サブ電極２１０と第２サブ電極３１０との間には、充填電極７００が設置されてもよく、且つ充填電極７００は、第１サブ電極２１０及び第２サブ電極３１０と間隔をおいて設置される。図４に示される第１サブ電極２１０と第２サブ電極３１０との間に大きな間隔領域が存在するため、該間隔領域の光透過率が高く、表示画像の輝度分布が不均一であるなどの状況が発生してしまい、表示効果に悪影響を与える。充填電極７００は、第１サブ電極２１０と第２サブ電極３１０との間の間隔領域を充填でき、それにより、タッチ基板の光透過率の分布均一度を向上させ、画像を表示する表示効果を向上させることができる。例えば、充填電極７００は、第１サブ電極２１０及び第２サブ電極３１０と同一層に製造され且つ同じ材料で製造されてもよく、タッチ基板の製造プロセスを増加せずに、タッチ基板の光透過率の分布均一度を向上させる。
【００７０】
本開示の少なくとも１つの実施例では、タッチ基板の第１サブ電極、第２サブ電極及びその接続部などの寸法を制限しない。例えば、図５のタッチ基板の部分構造を１つのタッチユニットとすることができ、Ｘ軸の方向又はＹ軸の方向に沿う該タッチユニットの寸法は、約３〜１０ミリメートルである。例えば、タッチ基板を異なる寸法の電子表示製品に適用する場合、対応する電子製品の寸法に応じて、第１サブ電極２１０、第２サブ電極３１０及びその接続部３２０などの構造の寸法を同じスケールで調整することができ、配線の占用スペースを低減させ、コストを低減させることができる。
【００７１】
本開示の少なくとも１つの実施例は、前述いずれかの実施例のタッチ基板を備える表示パネルを提供する。
【００７２】
本開示の少なくとも１つの実施例では、タッチ基板の表示パネルにおける設置位置を限定しない。例えば、タッチ基板は、表示パネルの表示面一側に設置されてもよく、表示パネルの内部に埋め込んで設置されてもよい。
【００７３】
例えば、本開示の実施例の一例では、該表示パネルは、液晶表示パネルであってもよく、例えば、該液晶表示パネルは、互いに対向して液晶セルを形成するアレイ基板と対向基板を備えてもよく、液晶セルには、液晶材料が充填されている。該対向基板は、例えばカラーフィルタ基板であってもよい。アレイ基板の各画素ユニットの画素電極及び共通電極は、電界を印加して液晶材料の回転程度を制御することにより表示操作を行うことに用いられる。
【００７４】
例えば、本開示の実施例の一例では、該表示パネルは、有機発光ダイオード（ＯＬＥＤ）表示パネルであってもよく、該表示パネルのサブ画素領域に有機発光材料の積層が形成されてもよく、各サブ画素ユニットの画素電極は、陽極又は陰極として有機発光材料を発光駆動させて表示操作を行うことに用いられる。
【００７５】
例えば、本開示の実施例の一例では、該表示パネルは、電子ペーパー表示パネルであってもよく、該表示パネルの表示基板に電子インク層が形成されてもよく、各サブ画素ユニットの画素電極は、電子インク中の帯電微粒子を移動駆動して表示操作を行う電圧を印加することに用いられる。
【００７６】
本開示の少なくとも１つの実施例では、表示パネルはさらに、携帯電話、タブレットパソコン、テレビ、ディスプレイ、ノートパソコン、デジタルフォトフレーム、ナビゲータなどの、表示機能を有するいずれかの製品又は部材であってもよく、他の機能機器、例えばアクティブスタイラスペン、パッシブスタイラスペンなどと組み合わせてもよい。
【００７７】
本開示の少なくとも１つの実施例は、タッチ基板の製造方法を提供し、該タッチ基板の製造方法は、タッチ領域及びタッチ領域の周囲に位置するリード領域を備えるベースを提供するステップと、タッチ領域のベース上に、並列配置された複数の第１電極ストライプを形成するステップと、タッチ領域のベース上に複数の導電性ブリッジを形成するステップと、を含み、各第１電極ストライプは、間隔をおいて設置された複数の第１サブ電極を備え、各第１電極ストライプのうちのいずれかの隣接する２つの第１サブ電極は導電性ブリッジの１つを介して電気的に接続され、導電性ブリッジは、互いに直接接続された本体部と分岐部を備え、本体部の少なくとも一端には、少なくとも２つの分岐部が設置される。分岐部は、導電性ブリッジに生じた応力を分散することができ、タッチ基板が曲がり状態にある場合、過大な応力による導電性ブリッジの局所領域の破断を回避することができる。
【００７８】
例えば、本開示の少なくとも１つの実施例では、タッチ基板の製造方法は、タッチ領域のベース上に、並列配置された複数の第２電極ストライプを形成するステップをさらに含んでもよく、第２電極ストライプと第１電極ストライプとは、同一層に配置され且つ互いに交差して配置され、各第２電極ストライプは、間隔をおいて設置された複数の第２サブ電極及び隣接する第２サブ電極を接続する接続部を備え、ベースが位置する面と垂直である方向に、接続部は、本体部と部分的に重なる。第１電極ストライプと第２電極ストライプを互いに交差して設置して交差位置に相互容量を形成し、各静電容量の容量変化量を検出することによって、タッチポイントを位置決めすることができ、それによりタッチ基板のタッチ機能を実現する。例えば、第２電極層は、第１電極層と同一層に位置し且つ同一層に製造することができる。
【００７９】
なお、本開示の少なくとも１つの実施例に係るタッチ基板の製造方法では、タッチ基板の異なる設計構造及び実際のプロセス要求に応じて、タッチ基板の製造方法は、異なってもよい。以下、本開示の少なくとも１つの実施例のいくつもの例では、タッチ基板のいくつかの製造方法を説明する。
【００８０】
例えば、本開示の少なくとも１つの実施例では、各導電性ブリッジの本体部の少なくとも一部と前記分岐部とは、異なる層に形成される。例示的に、図１Ｃに示されるタッチ基板の製造を例として、本開示の少なくとも１つの実施例の一例では、タッチ領域１１０のベース１００上に複数の導電性ブリッジ５００を形成するステップは、ベース１００上に絶縁材料フィルムを堆積してパターニングプロセスを行って、複数のサブ絶縁層４１０を備える絶縁層４００を形成することと、複数のサブ絶縁層４１０が形成されたベース１００上に導電性材料フィルムを堆積してパターニングプロセスを行って、形成したサブ絶縁層４１０と導電性ブリッジ５００を一対一に対応して設置するように導電性ブリッジ５００を形成することと、を含み、導電性ブリッジ５００の製造材料の耐食性は、第１電極ストライプ２００及び第２電極ストライプ３００の製造材料の耐食性より小さい。本開示の実施例の製造方法で製造されたタッチ基板では、導電性ブリッジ５００の本体部５１０及び分岐部５２０の分布を制限せず、例えば、ベース１００が位置する面と垂直である方向に、本体部５１０のベース１００での正射影の少なくとも一部は、サブ絶縁層４１０のベース１００での正射影内に位置し、分岐部５２０のベース１００での正射影は、サブ絶縁層４１０のベース１００での正射影外に位置する。
【００８１】
導電性ブリッジ５００の製造材料は、第１電極ストライプ２００、第２電極ストライプ３００の製造材料とは異なり、パターニングプロセスでは、例えば、導電性ブリッジ５００を腐食できるが、第１電極ストライプ２００、第２電極ストライプ３００を腐食できない腐食液が使用可能であり、例えば、第１電極ストライプ２００及び第２電極ストライプ３００の製造材料のパターニングプロセス中の腐食液に対する耐食性は、導電性ブリッジ５００の製造材料のパターニングプロセス中の腐食液に対する耐食性より大きい。例示的に、パターニングプロセス中の腐食液の製造材料は、酸化インジウムスズ（ＩＴＯ）であり、ＩＴＯを例えば王水によって腐食するため、他の腐食液に対する耐食性能が高く、導電性ブリッジ５００の製造材料は、例えば銅（Ｃｕ）であり、銅材料は、三塩化鉄などでエッチングしうる。
【００８２】
例えば、本開示の少なくとも１つの実施例では、各導電性ブリッジの本体部の少なくとも一部と前記分岐部とは、異なる層に形成される。例示的に、図１Ｃに示されるタッチ基板の製造を例として、本開示の少なくとも１つの実施例の一例では、タッチ領域１１０のベース１００上に複数の導電性ブリッジ５００を形成するステップは、ベース１００上に絶縁材料フィルムを堆積してパターニングプロセスを行って、複数のサブ絶縁層４１０を備える絶縁層４００を形成することと、第１マスクを提供し、形成したサブ絶縁層４１０と導電性ブリッジ５００を一対一に対応して設置するように該第１マスクによってベース１００上に導電性材料フィルムを堆積して複数の導電性ブリッジ５００を形成することと、を含む。本開示の実施例の製造方法で製造されたタッチ基板では、導電性ブリッジ５００の本体部５１０及び分岐部５２０の分布を制限せず、例えば、ベース１００が位置する面と垂直である方向に、本体部５１０のベース１００での正射影の少なくとも一部は、サブ絶縁層４１０のベース１００での正射影内に位置し、分岐部５２０のベース１００での正射影は、サブ絶縁層４１０のベース１００での正射影外に位置する。
【００８３】
例えば、本開示の少なくとも１つの実施例では、各導電性ブリッジの本体部と分岐部とは、同一層に形成される。例えば、図３Ａに示されるタッチ基板の製造を例として、本開示の少なくとも１つの実施例の別の例では、タッチ領域１１０のベース１００上に複数の導電性ブリッジ５００を形成するステップは、第１導電性ストリップ２００が形成されたベース１００上に絶縁材料フィルムを堆積して、例えばタッチ領域全体を被覆可能な絶縁層４００を形成することと、絶縁層４００に対してパターニングプロセスを行って絶縁層４００に第１電極ストライプ２００の第１サブ電極２１０の一部の領域を露出させる複数のビアホール４２０を形成することと、絶縁層４００上に導電性材料フィルムを堆積してパターニングプロセスを行って複数の導電性ブリッジ５００を形成し、導電性ブリッジ５００の分岐部５２０をビアホール４２０を介して第１サブ電極２１０に電気的に接続することと、を含む。
【００８４】
例えば、本開示の少なくとも１つの実施例では、各導電性ブリッジの本体部と分岐部とは、同一層に形成される。例えば、図３Ｂに示されるタッチ基板の製造を例として、本開示の少なくとも１つの実施例の別の例では、タッチ領域１１０のベース１００上に複数の導電性ブリッジ５００を形成するステップは、ベース１００上に導電性材料フィルムを堆積してパターニングプロセスを行って複数の導電性ブリッジ５００を形成することと、導電性ブリッジ５００が形成されたベース１００上に絶縁材料フィルムを堆積して、例えばタッチ領域全体を被覆可能な絶縁層４００を形成することと、絶縁層４００に対してパターニングプロセスを行って絶縁層４００に導電性ブリッジ５００の一部の領域（例えば、導電性ブリッジ５００の分岐部５２０の一部の領域）を露出させる複数のビアホール４２０を形成することと、絶縁層４００上に導電性材料フィルムを堆積してパターニングプロセスを行って、並列される複数の第１電極ストライプ２００を形成し（例えば、並列される複数の第２電極ストライプ３００を同期に形成することができる）、第１電極ストライプ２００の第１サブ電極２１０をビアホール４２０を介して導電性ブリッジ５００に電気的に接続することと、を含む。
【００８５】
本開示の少なくとも１つの実施例の製造方法で製造されるタッチ基板の構造については、前述実施例（タッチ基板に関する実施例）の関連内容を参照することができ、ここで繰り返し説明しない。
【００８６】
以下、本開示の少なくとも１つの実施例では、タッチ基板の製造方法を説明し、図６Ａ〜図６Ｂ、図７、図８Ａ〜図８Ｂ及び図９Ａ〜図９Ｂは、本開示の一実施例に係るタッチ基板の製造方法のプロセス図である。例えば、図６Ａ〜図６Ｂ、図７、図８Ａ〜図８Ｂ及び図９Ａ〜図９Ｂに示すように、図１Ｃに示されるタッチ基板の製造を例として、本開示の少なくとも１つの実施例に係るタッチ基板の製造方法は以下の過程を含み、なお、各導電性ブリッジ５００の本体部５１０の少なくとも一部と分岐部５２０とは、異なる層に設置される。
【００８７】
図６Ｂは、図６Ａに示される領域Ａの断面図であり、図６Ａ及び図６Ｂに示すように、ベース１００を提供し、ベース１００上に導電性材料フィルムを堆積してパターニングプロセスを行って、並列される複数の第１電極ストライプ２００と複数の第２電極ストライプ３００を形成し、各第１電極ストライプ２００と各第２電極ストライプ３００とは、互いに交差して設置され、ベース１００はタッチ領域１１０及びタッチ領域１１０の周囲に位置するリード領域１２０を備え、第１電極ストライプ２００及び第２電極ストライプ３００は、ベース１００のタッチ領域に形成され、各第１電極ストライプ２００は、間隔をおいて設置された複数の第１サブ電極２１０を備え、各第２電極ストライプ３００は、間隔をおいて設置された複数の第２サブ電極３１０及び隣接する第２サブ電極３１０を接続する接続部３２０を備える。
【００８８】
ベースの製造材料は、透明又は半透明なフレキシブル材料であってもよい。例えば、ベースの製造材料は、ポリイミド、ポリカーボネート、ポリアクリル酸エステル、ポリエーテルイミド、ポリエーテルスルホン、ポリエチレンテレフタレート及びポリエチレンナフタレートなどの一種又は複数を含む樹脂類材料であってもよい。
【００８９】
例えば、本開示の少なくとも１つの実施例では、パターニングプロセスは、乾式エッチング又は湿式エッチングを含んでもよい。例えば、パターニングプロセスの過程は、パターニングが必要な構造層上にフォトレジスト層をコーティングし、マスクでフォトレジスト層を露光させ、露光させたフォトレジスト層を現像してフォトレジストパターンを得て、フォトレジストパターンをマスクとして構造層をエッチングし、次にフォトレジストパターンを選択的に除去することを含む。
【００９０】
例えば、本開示の少なくとも１つの実施例では、図６Ａ及び図６Ｂに示される第１電極ストライプ２００及び第２電極ストライプ３００の製造過程において、パターニングプロセスによって第１サブ電極２１０及び第２サブ電極３１０のエッジを図４に示される鋸歯状に形成することができ、それにより、インデックスマッチング効果を取得する。
【００９１】
例えば、本開示の少なくとも１つの実施例では、図６Ａ及び図６Ｂに示される第１電極ストライプ２００及び第２電極ストライプ３００の製造過程において、導電性材料フィルムに対してパターニングプロセスを行って第１サブ電極２１０及び第２サブ電極３１０を取得する過程で、図５に示される充填電極７００を同期に取得することができ、それにより、タッチ基板の光透過率の均一性を維持する。
【００９２】
図７に示すように、リード領域１２０のベース１００上に第１信号線６１０及び第２信号線６２０を形成し、第１信号線６１０は、第１電極ストライプ２００に電気的に接続され、第２信号線６２０は、第２信号線３００に電気的に接続される。なお、本開示の実施例は、第１信号線６１０及び第２信号線６２０の形成方式及び製造プロセスステップ全体での配置順序を制限せず、信号線がそれに対応する電極ストライプに接続できればよい。例えば、第１電極ストライプ２００及び第２電極ストライプ３００の製造過程で、導電性材料フィルムに対してパターニングプロセスを行って第１電極ストライプ２００、第２電極ストライプ３００、第１信号線６１０及び第２信号線６２０を同時に形成してもよく、例えば、第１信号線６１０及び第２信号線６２０を形成してから第１電極ストライプ２００及び第２電極ストライプ３００を形成してもよく、又は第１電極ストライプ２００及び第２電極ストライプ３００を形成してから第１信号線６１０及び第２信号線６２０を形成してもよい。
【００９３】
本開示の少なくとも１つの実施例では、第１信号線６１０及び第２信号線６２０の製造材料を制限しない。例えば、第１信号線６１０及び第２信号線６２０の製造材料は、可撓性が良好な導電性材料、例えば、銅、アルミニウム、銀又は金などの金属又は金属合金などであってもよい。
【００９４】
図８Ｂは、図８Ａに示される領域Ａの断面図であり、図８Ａ及び図８Ｂに示すように、第１電極ストライプ２００及び第２電極ストライプ３００が形成されたベース１００上に絶縁材料フィルムを堆積してパターニングプロセスを行って、互いに間隔をおいた複数のサブ絶縁層４１０を備える絶縁層４００を形成し、サブ絶縁層４１０は、第１電極ストライプ２００と第２電極ストライプ３００との互いに交差する位置に形成され、Ｚ軸の方向に、サブ絶縁層４１０は、接続部３２０と部分的に重なる。例えば、Ｙ軸に沿う方向に、サブ絶縁層４１０は、接続部３２０全体を被覆する。サブ絶縁層４１０の構造は、前述実施例（タッチ基板に関する実施例）の関連説明を参照することができ、本開示の実施例は、ここで繰り返し説明しない。
【００９５】
図９Ｂは、図９Ａに示される領域Ａの断面図であり、図９Ａ及び図９Ｂに示すように、第１マスク８００を提供し、次に第１マスク８００によって、絶縁層４００が形成されたベース１００上に導電性材料を堆積して複数の導電性ブリッジ５００を形成する。導電性ブリッジ５００は、本体部５１０と分岐部５２０を備え、本体部の少なくとも一端には、少なくとも２つの分岐部５２０が設置される。例えば、Ｚ軸の方向に、本体部５１０のベース１００での正射影の少なくとも一部は、サブ絶縁層４１０のベース１００での正射影内に位置し、分岐部５２０のベース１００での正射影の少なくとも一部は、サブ絶縁層４１０のベース１００での正射影外に位置する。例えば、第１マスク８００によって導電性ブリッジ５００を形成する方法は、マグネトロンスパッタリングなどを含んでもよい。導電性ブリッジ５００の構造は、前述実施例（タッチ基板に関する実施例）の関連説明を参照することができ、本開示の実施例は、ここで繰り返し説明しない。
【００９６】
なお、本開示の少なくとも１つの実施例に係るタッチ基板の製造方法では、第１信号線及び第２信号線の形成方式を制限せず、前述実施例（例えば、図７に示されるタッチ基板の製造方法に関する実施例）の関連説明を参照することができ、本開示はここで繰り返し説明しない。
【００９７】
本開示の少なくとも１つの実施例は、タッチ基板及びその製造方法、表示パネルを提供し、以下の少なくとも一つの有益な効果を有する。
【００９８】
（１）本開示の少なくとも１つの実施例は、タッチ基板を提供し、タッチ基板の導電性ブリッジは、複数の分岐部を備える分岐構造として設置され、曲がる状態では、導電性ブリッジの一部の応力が異なる分岐部に分散し、応力集中のため導電性ブリッジの局所応力が過大になって破断することを防止する。
【００９９】
（２）本開示の少なくとも１つの実施例に係るタッチ基板において、導電性ブリッジの分岐部は、導電性ブリッジと第１電極ストライプとの接触面積を増加させ、導電性ブリッジと第１電極ストライプとの接続の強度を向上させることができる。
【０１００】
（３）本開示の少なくとも１つの実施例に係るタッチ基板において、導電性ブリッジの分岐部は、導電性ブリッジの電流転送チャンネルの断面積を増加させ、導電性ブリッジの抵抗を低減させることができる。
【０１０１】
（４）本開示の少なくとも１つの実施例に係るタッチ基板において、絶縁層の導電性ブリッジに向かう表面は、導電性ブリッジに接触するエッジが円弧状に設計され、該エッジの導電性ブリッジの応力分布を改善し、過大な局所応力による導電性ブリッジの破断を防止することができる。
【０１０２】
なお、
（１）本開示の実施例の図面は、本開示の実施例に関する構造のみに関し、他の構造は通常の設計を参照すればよい。
（２）分かりやすくするために、本開示の実施例を説明する図面において、層又は領域の厚さは拡大又は縮小されており、即ち、これらの図面は実際のスケールで描かれていない。
（３）矛盾のない場合、本開示の実施例及び実施例の特徴を組み合わせて新しい実施例を得ることができる。
【０１０３】
以上は、本開示の発明を実施するための形態に過ぎず、本開示の保護範囲はそれに限定されず、本開示の保護範囲は、請求項の保護範囲を基準にする。
【符号の説明】
【０１０４】
１００  ベース
１１０  タッチ領域
１２０  リード領域
２００  第１電極ストライプ、第１導電性ストリップ
２１０  第１サブ電極
３００  第２電極ストライプ、第２信号線、第２サブ電極
３１０  第２サブ電極
３２０  接続部
４００  絶縁層
４１０  サブ絶縁層
４２０  ビアホール
５００  導電性ブリッジ
５１０  本体部、分岐部
５１１  導電性ストリップ
５２０  分岐部
６１０  第１信号線、第２信号線
６２０  第１信号線、第２信号線
７００  充填電極
８００  第１マスク
【図１Ａ】
2020532776.tif 000003
【図１Ｂ】
2020532776.tif 000004
【図１Ｃ】
2020532776.tif 000005
【図１Ｄ】
2020532776.tif 000006
【図２Ａ】
2020532776.tif 000007
【図２Ｂ】
2020532776.tif 000008
【図３Ａ】
2020532776.tif 000009
【図３Ｂ】
2020532776.tif 000010
【図４】
2020532776.tif 000011
【図５】
2020532776.tif 000012
【図６Ａ】
2020532776.tif 000013
【図６Ｂ】
2020532776.tif 000014
【図７】
2020532776.tif 000015
【図８Ａ】
2020532776.tif 000016
【図８Ｂ】
2020532776.tif 000017
【図９Ａ】
2020532776.tif 000018
【図９Ｂ】
2020532776.tif 000019
【国際調査報告】
2020532776.tif 000020
2020532776.tif 000021
2020532776.tif 000022
2020532776.tif 000023